(57)【要約】【課題】人体や動物などの生体にマイナスイオン、遠赤外線などの生体活性化を促進する素材を生体に直接触れるように装着し得る生体活性化素材を得る。【解決手段】貴陽石などの天然の活性石を微細粉末として合成樹脂材料とスラリ状に混合し、そのスラリ液を布表面に所定の模様状にプリントして生体活性化素材Ａ1 の生地を形成する。これを衣服、靴下、手袋などとして用いるときはプリントマーク２が内側となるように装着し、接触摩擦、振動によりマイナスイオン、遠赤外線を放出させて生体の活性化を図ることができる。【選択図】  図１
2004204402.tif 000002
【特許請求の範囲】
【請求項１】
微細粉末化した貴陽石を含む天然の活性石を合成樹脂材料とスラリ状に混合し、これを布表面に所定の模様状にプリントした生体活性化素材。
【請求項２】
前記プリント模様を水玉模様としたことを特徴とする請求項１に記載の生体活性化素材。
【請求項３】
微細粉末化した貴陽石を含む天然の活性石をセラミックス材料と混合して熱処理をし所定サイズの塊とし、この塊の複数個を布で包み、その外側を保護布又は保護シートでカバーした生体活性化素材。
【請求項４】
前記セラミックス材料として赤土を微細化し、さらに竹炭を微細化して混合したことを特徴とする請求項３に記載の生体活性化素材。
【発明の詳細な説明】
【０００１】
【発明の属する技術分野】
この発明はマイナスイオン又は遠赤外線のような活性化媒体を発生させて人や動物に好ましい影響を与える衣料布（生地）、寝具素材などの生体活性化素材に関する。
【０００２】
【従来の技術】
マイナスイオンや遠赤外線は人や動物の身体に好ましい影響を与える媒体として種々の形で利用されている。マイナスイオンは空気中の酸素分子をラジカルな状態としてプラスとマイナスのイオンに遊離させ、マイナスイオンは空気中の微量な水分に付着して生じると考えられている。マイナスイオンは身体の表面に作用することにより体内の活性化を促進し、好ましい作用が得られるとされており、又遠赤外線は放射光の１種であり、対象物に吸収されると熱エネルギに変換される。
【０００３】
かかるマイナスイオンや遠赤外線を放出する物質として特殊セラミックス、トルマリンなどの活性石が利用されており、一般にこの活性石を微粒子粉末状にし、この粉末をシート表面に塗布して利用される。活性石は、マイナスイオンや遠赤外線を放出するために振動、摩擦、温度などのエネルギを外部から付与することによりラジカルな状態を生じさせることができる。
【０００４】
【発明が解決しようとする課題】
上記活性石をシート表面に塗布したものは、自動車のエンジンの燃費向上、空気清浄器などの機器に用いて空気の活性化を図る場合などでは、各機器内にシートを装着すればよいから、そのまま利用できる。しかし、衣服、装身具、あるいは枕などの寝具に利用する場合、単にシートに活性石の微粉末を塗布しただけでは利用することができない。
【０００５】
この発明は、上記の問題に留意して、人体や動物などの生体にマイナスイオン、遠赤外線などの生体活性化を促進する素材を生体に直接触れるように装着し得る生体活性化素材を提供することを課題とする。
【０００６】
【課題を解決するための手段】
この発明は、上記の課題を解決する手段として、微細粉末化した貴陽石を含む天然の活性石を合成樹脂材料とスラリ状に混合し、これを布表面に所定の模様状にプリントした生体活性化素材としたのである。
【０００７】
又、もう１つの手段として、微細粉末化した貴陽石を含む天然の活性石をセラミックス材料と混合して熱処理をし所定サイズの塊とし、この塊の複数個を布で包み、その外側を保護布又は保護シートでカバーした生体活性化素材を採用することもできる。
【０００８】
上記の構成としたこの発明の生体活性化素材は、身体に着用又は接近して置き、身体の動きによる接触摩擦、衝撃により振動を加えることによりマイナスイオン又は遠赤外線を生成する。身体の動きは、強弱の変化はあるが、断続して生じるから、マイナスイオン又は遠赤外線が放出され続ける。多くの天然石の中で、例えばホルンヘルスや医王石などの他の活性石に比して貴陽石はマイナスイオン生成又は遠赤外線の放出能は倍以上であり、従ってこのような活性石に振動や摩擦を加え続けることにより断続してマイナスイオン又は遠赤外線が放出され、生体に好ましい影響を与える。このため、生体の活性化が促進され健康を保持できるのである。
【０００９】
【実施の形態】
以下、この発明の実施の形態について図面を参照して説明する。図１は第１実施形態の生体活性化素材の外観斜視図及び断面図である。この生体活性化素材Ａ1 は、布１の表面にプリントマーク２をプリントしたものである。布１は、その材料の如何を問わない。ナイロン、ポリエステルなどの合成繊維を用いた布、あるいは木綿などの天然素材を用いたもののいずれでもよい。
【００１０】
プリントマーク２は、活性石の１つである貴陽石を２μｍ（ミクロン）のサイズに微細化し、その微細粉末を塩化ビニル樹脂の溶液中に混合してスラリ液とし、このスラリ液をスクリーンプリンタで、図示の例では水玉模様にプリントしたものである。マーク２の厚みは、大略数１０μｍ程度で、布表面がザラザラした感触程度の厚みとする。使用する際プリントマーク２がプリントされている面が人の肌に直接触れる側となるように使用されるため、厚さが厚くなり過ぎず肌荒れを生じない厚さとする。
【００１１】
上記プリントマーク２は、図２に示すスクリーンプリンタ１０によりプリントされる。このスクリーンプリンタ１０は、トレイ状のプリンタ板１１に、図示の例ではプリントしたマークが水玉模様となるように対応する穴１２を穿設されており、このプリンタ板１１内に上述したスラリ液１３を貯えてプリントを行なう。スクリーンプリンタ１０の幅は対象の布地幅に対応する寸法とし、長さは所定長さのものとし、布地の長さ方向に布又はプリンタ１０を移動させて連続状にプリントが行なわれる。なお、プリントマーク２の模様は、水玉模様以外にも千鳥模様、唐草模様など種々の模様を採用することができる。
【００１２】
上記のプリンタ１０によりプリントマーク２をプリントされた布は、図１の（ｃ）に示すように、例えば靴下や手袋に用いることができる。この場合、プリントマーク２が裏側又は内側となるように使用する。プリントマーク２を裏側又は内側になるように使用することにより人の肌に触れ、プリントマーク２に接触が繰り返されその際の摩擦や身体の動きによる振動でマイナスイオン又は遠赤外線が活性石から生成され、人体、動物に好ましい影響を与えるのである。
【００１３】
図３に第２実施形態の生体活性化素材の外観斜視図及び部分拡大図を示す。この生体活性化素材Ａ2 は、不織布を用いた小袋２１に多数の小さな塊状物２２を包み、この小袋２１の外側を保護布２３で囲んで糸で縫製したものである。塊状物２２は、２μｍ（ミクロン）程度の竹炭及び貴陽石の微細化粉末に同程度の微細な信楽赤土（マンガンを多く含む）を混合し、これを８５０〜９００℃の高温で焼成して形成したものである。小袋２１の不織布も、数ミクロン程度の隙間の目の小さい材料を使い、粉末が外へ漏れないように包んでいる。
【００１４】
この実施形態の生体活性化素材Ａ2 は、例えばベッド用マット、枕又は枕カバー、椅子カバーなど厚さ及び保温を必要とする用途に利用される。マット、枕などに用いた場合、人が寝た状態で背中や頭がその上に乗った状態となり、睡眠中に身体を動かす度にマットや枕に接触摩擦、衝撃が加えられてマイナスイオン又は遠赤外線が生起される点は第１実施形態と同じである。
【００１５】
なお、上記各実施形態の布の素材は木綿、シルクのような天然素材やナイロン、ポリエステルなどの合成樹脂素材を用いたもののいずれでもよく、一般に布として利用されている素材であれば何でもよい。
【００１６】
【発明の効果】
以上、詳細に説明したように、第１の発明の生体活性化素材は貴陽石を含む活性石の微細粉末を合成樹脂材に含めて布表面に所定模様状にプリントしたものとし、第２の発明の生体活性化素材は貴陽石を含む活性石の微細粉末をセラミックス材料と混合して塊状物を形成し、これを布で包み、その外側を保護布又はシートでカバーしたものとしたから、上記素材の布を着用したり、身体に接近して置き、身体の動きによる摩擦、衝撃振動でマイナスイオン又は遠赤外線が生成され、身体の内部活動の活発化による健康の促進などの身体に対し好ましい影響を付与するという効果が得られる。
【図面の簡単な説明】
【図１】第１実施形態の生体活性化素材の（ａ）外観斜視図、（ｂ）断面図、（ｃ）用途の説明図
【図２】（ａ）同上の生体活性化素材へのプリント方法の説明図、（ｂ）（ａ）のIIｂ−−IIｂ線の断面図
【図３】第２実施形態の生体活性化素材の（ａ）外観斜視図、（ｂ）部分拡大図
【符号の説明】
１  布
２  プリントマーク
１０  スクリーンプリンタ
１１  プリンタ板
１２  穴
１３  スラリ液
２１  小袋
２２  塊状物
２３  保護布
Ａ1 、Ａ2   生体活性化素材
【図１】
2004204402.tif 000003
【図２】
2004204402.tif 000004
【図３】
2004204402.tif 000005